(57)【要約】【課題】  投写型映像表示装置と投写面との距離の短縮を図った投写型映像表示装置を用いて、容易に映像の表示／非表示を切り替えることを可能とする投写型映像表示装置を提供する。【解決手段】  投写型映像表示装置１００は、映像光生成部２００と、投写光学系３００と、スクリーン２２０とを有する。投写光学系３００は、反射ミラー３２０を有する。スクリーン２２０は、反射ミラー３２０で反射された映像光を拡散するか、反射ミラー３２０で反射された映像光を透過するかを切り替え可能に構成されている。【選択図】  図１
2009258701.tif 000002
【特許請求の範囲】
【請求項１】
映像光を生成する映像光生成部と、前記映像光を投写面上に投写する投写光学系とを備えた投写型映像表示装置であって、
前記投写光学系は、前記映像光生成部から出射された前記映像光を反射する反射ミラーを有しており、
前記投写面に設けられたスクリーンを備え、
前記スクリーンは、前記反射ミラーで反射された前記映像光を拡散するか、又は、前記反射ミラーで反射された前記映像光を透過するかを切り替え可能に構成されていることを特徴とする投写型映像表示装置。
【請求項２】
前記スクリーンは、分散型液晶によって構成されたスクリーンであり、
前記分散型液晶は、前記分散型液晶に印加される電圧に応じて、前記反射ミラーで反射された前記映像光の拡散率を調整することを特徴とする請求項１に記載の投写型映像表示装置。
【請求項３】
前記スクリーンは、前記映像光によって映像を構成する領域である映像構成領域と、前記映像光によって映像を構成しない領域である非映像構成領域とを有しており、
前記スクリーンは、前記投写面上をスライド可能に構成されており、
前記非映像構成領域は、光透過性部材によって構成されており、前記スクリーンのスライド方向において前記映像構成領域に隣接していることを特徴とする請求項１に記載の投写型映像表示装置。
【請求項４】
前記反射ミラーで反射された前記映像光の光路上に設けられた防護カバーをさらに備え、
前記防護カバーは、前記映像光を透過する透過領域を有しており、
前記反射ミラーは、前記反射ミラーと前記投写面との間において、前記映像光生成部から出射された前記映像光を集光し、
前記透過領域は、前記反射ミラーによって前記映像光が集光される位置近傍に配置されることを特徴とする請求項１に記載の投写型映像表示装置。
【請求項５】
前記防護カバーは、前記反射ミラー側から前記投写面側に連通する開口を有しており、
前記透過領域は、前記開口であることを特徴とする請求項４に記載の投写型映像表示装置。
【請求項６】
前記防護カバーの少なくとも一部は、光透過性部材によって構成されており、
前記透過領域は、前記光透過性部材によって構成されることを特徴とする請求項４に記載の投写型映像表示装置。
【請求項７】
前記スクリーンは、第１スクリーン及び第２スクリーンを含み、
前記第１スクリーン及び前記第２スクリーンのそれぞれは、前記反射ミラーで反射された前記映像光を拡散するか、又は、前記反射ミラーで反射された前記映像光を透過するかを切り替え可能に構成されていることを特徴とする請求項１に記載の投写型映像表示装置。
【請求項８】
前記スクリーンは、複数の領域によって構成されており、
前記スクリーンは、前記反射ミラーで反射された前記映像光を拡散するか、又は、前記反射ミラーで反射された前記映像光を透過するかを前記複数の領域毎に切り替え可能に構成されていることを特徴とする請求項１に記載の投写型映像表示装置。
【発明の詳細な説明】
【技術分野】
【０００１】
本発明は、投写面上に映像光を投写する投写光学系を有する投写型映像表示装置に関する。
【背景技術】
【０００２】
従来、光源が発する光を変調する光変調素子と、光変調素子から出射される光を投写面（スクリーン）上に投写する投写レンズとを有する投写型映像表示装置が知られている。
【０００３】
ここで、スクリーン上に映像を大きく表示するためには、投写レンズとスクリーンとの距離を長くとる必要がある。これに対して、投写レンズから出射される光をスクリーン側に反射する反射ミラーを利用して、投写型映像表示装置とスクリーンとの距離の短縮を図った投写型表示システムが提案されている（例えば、特許文献１）。
【０００４】
ここで、投写型映像表示装置とスクリーンとの距離の短縮を図ると、投写型映像表示装置がスクリーンに近くなり、投写型映像表示装置がユーザの視野に入ることになるため、スクリーンの上下又は横から斜め投写を行う必要がある。例えば、上述した投写型表示システムでは、光変調素子と投写光学系との位置関係を上下方向にシフトするとともに、反射ミラーとして凹面ミラーを用いることにより、投写距離の短縮と斜め投写を行っている。
【先行技術文献】
【特許文献】
【０００５】
【特許文献１】特開２００６−２３５５１６号公報（請求項１、図１など）
【発明の概要】
【発明が解決しようとする課題】
【０００６】
ところで、投写距離の短縮を図った投写型映像表示装置の設置方法としては、狭いスペースでも投写することが可能であるため、投写型映像表示装置を壁面などに設置する方法、投写型映像表示装置を天井や床面に設置する方法など、新しい設置方法が考えられる。一方で、投写面に設けられるスクリーンについては、あまり考慮されていない。
【０００７】
そこで、本発明は、上述した課題を解決するためになされたものであり、投写型映像表示装置と投写面との距離の短縮を図った投写型映像表示装置を用いて、容易に映像の表示／非表示を切り替えることを可能とする投写型映像表示装置を提供することを目的とする。
【課題を解決するための手段】
【０００８】
第１の特徴に係る投写型映像表示装置は、映像光を生成する映像光生成部（映像光生成部２００）と、前記映像光を投写面（投写面２１０）上に投写する投写光学系（投写光学系３００）とを備える。前記投写光学系は、前記映像光生成部から出射された前記映像光を反射する反射ミラー（反射ミラー３２０）を有する。投写型映像表示装置は、前記投写面に設けられたスクリーン（スクリーン２２０）を備える。前記スクリーンは、前記反射ミラーで反射された前記映像光を拡散するか、又は、前記反射ミラーで反射された前記映像光を透過するかを切り替え可能に構成されている。
【０００９】
かかる特徴によれば、スクリーンは、反射ミラーで反射された映像光によって映像を構成するか否かを切り替え可能に構成されている。従って、映像の表示／非表示を容易に切り替えることができる。
【００１０】
第１の特徴において、前記スクリーンは、分散型液晶によって構成されたスクリーンである。前記分散型液晶は、前記分散型液晶に印加される電圧に応じて、前記反射ミラーで反射された前記映像光の拡散率を調整する。
【００１１】
第１の特徴において、前記スクリーンは、前記映像光によって映像を構成する領域である映像構成領域（映像構成領域２２０ａ）と、前記映像光によって映像を構成しない領域である非映像構成領域（非映像構成領域２２０ｂ）とを有する。前記スクリーンは、前記投写面上をスライド可能に構成されている。前記非映像構成領域は、光透過性部材によって構成されており、前記スクリーンのスライド方向において前記映像構成領域に隣接している。
【００１２】
第１の特徴において、投写型映像表示装置は、前記反射ミラーで反射された前記映像光の光路上に設けられた防護カバー（防護カバー４００）をさらに備える。前記防護カバーは、前記映像光を透過する透過領域（透過領域４１０）を有する。前記反射ミラーは、前記反射ミラーと前記投写面との間において、前記映像光生成部から出射された前記映像光を集光する。前記透過領域は、前記反射ミラーによって前記映像光が集光される位置近傍に配置される。
【００１３】
第１の特徴において、前記防護カバーは、前記反射ミラー側から前記投写面側に連通する開口を有する。前記透過領域は、前記開口である。
【００１４】
第１の特徴において、前記防護カバーの少なくとも一部は、光透過性部材によって構成されている。前記透過領域は、前記光透過性部材によって構成される。
【００１５】
第１の特徴において、前記スクリーンは、第１スクリーン及び第２スクリーンを含む。前記第１スクリーン及び前記第２スクリーンのそれぞれは、前記反射ミラーで反射された前記映像光を拡散するか、又は、前記反射ミラーで反射された前記映像光を透過するかを切り替え可能に構成されている。
【００１６】
第１の特徴において、前記スクリーンは、複数の領域によって構成される。前記スクリーンは、前記反射ミラーで反射された前記映像光を拡散するか、又は、前記反射ミラーで反射された前記映像光を透過するかを前記複数の領域毎に切り替え可能に構成されている。
【発明の効果】
【００１７】
本発明によれば、投写型映像表示装置と投写面との距離の短縮を図った投写型映像表示装置を用いて、容易に映像の表示／非表示を切り替えることを可能とする投写型映像表示装置を提供することができる。
【図面の簡単な説明】
【００１８】
【図１】第１実施形態に係る投写型映像表示装置１００を示す図である。
【図２】第１実施形態に係る映像光生成部２００の構成を示す図である。
【図３】第１実施形態に係るスクリーン２２０の構成を示す図である。
【図４】第１実施形態に係るスクリーン２２０の構成を示す図である。
【図５】第１実施形態に係る表示例について示す図である。
【図６】第１実施形態に係る表示例について示す図である。
【図７】第１実施形態に係る表示例について示す図である。
【図８】第１実施形態に係る表示例について示す図である。
【図９】第２実施形態に係るスクリーン２２０の構成を示す図である。
【図１０】第２実施形態に係るスクリーン２２０のスライドを示す図である。
【図１１】第２実施形態に係るスクリーン２２０のスライドを示す図である。
【図１２】第３実施形態に係る投写型映像表示装置１００の適用例について示す図である。
【図１３】第３実施形態に係る投写型映像表示装置１００の適用例について示す図である。
【図１４】第４実施形態に係るスクリーン５００を示す図である。
【図１５】第４実施形態に係るスクリーン５００を示す図である。
【図１６】第４実施形態に係るスクリーン５００を示す図である。
【図１７】第４実施形態に係るスクリーン５００を示す図である。
【図１８】第４実施形態に係るスクリーン５００を示す図である。
【図１９】第４実施形態に係る表示例について示す図である。
【図２０】第４実施形態に係る表示例について示す図である。
【図２１】第４実施形態に係る表示例について示す図である。
【図２２】第４実施形態に係る表示例について示す図である。
【図２３】第４実施形態に係る表示例について示す図である。
【図２４】第４実施形態に係る表示例について示す図である。
【図２５】第５実施形態に係るスクリーン６００を示す図である。
【図２６】第６実施形態に係るスクリーン６００を示す図である。
【図２７】第６実施形態に係る表示例について示す図である。
【図２８】第６実施形態に係る表示例について示す図である。
【図２９】第６実施形態に係る表示例について示す図である。
【図３０】第６実施形態に係る表示例について示す図である。
【図３１】第６実施形態に係る表示例について示す図である。
【発明を実施するための形態】
【００１９】
以下において、本発明の実施形態に係る投写型映像表示装置について、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［第１実施形態］
（投写型映像表示装置の構成）
以下において、第１実施形態に係る投写型映像表示装置の構成について、図面を参照しながら説明する。図１は、第１実施形態に係る投写型映像表示装置１００の構成を示す図である。
【００２２】
図１に示すように、投写型映像表示装置１００は、映像光生成部２００と、投写光学系３００と、防護カバー４００と、スクリーン２２０とを有する。
【００２３】
映像光生成部２００は、映像光を生成する。具体的には、映像光生成部２００は、映像光を出射する表示素子４０を少なくとも有する。表示素子４０は、投写光学系３００の光軸Ｌに対してシフトした位置に設けられている。表示素子４０は、例えば、反射型液晶パネル、透過型液晶パネル、ＤＭＤ（Ｄｉｇｉｔａｌ  Ｍｉｃｒｏｍｉｒｒｏｒ  Ｄｅｖｉｃｅ）などである。なお、映像光生成部２００の詳細については後述する（図２を参照）。
【００２４】
投写光学系３００は、映像光生成部２００から出射された映像光を投写する。ここで、投写光学系３００は、投写面２１０（スクリーン２２０）上に映像光を投写する。具体的には、投写光学系３００は、投写レンズ３１０と、反射ミラー３２０とを有する。
【００２５】
投写レンズ３１０は、映像光生成部２００から出射された映像光を反射ミラー３２０側に出射する。
【００２６】
反射ミラー３２０は、投写レンズ３１０から出射された映像光を反射する。反射ミラー３２０は、映像光を集光した上で、映像光を広角化する。例えば、反射ミラー３２０は、映像光生成部２００側に凹面を有する非球面ミラーである。
【００２７】
防護カバー４００は、反射ミラー３２０を保護するカバーである。防護カバー４００は、少なくとも、反射ミラー３２０で反射された映像光の光路上に設けられている。防護カバー４００は、映像光を透過する透過領域４１０を有する。すなわち、透過領域４１０は、反射ミラー３２０で反射された映像光をスクリーン２２０側に透過する。
【００２８】
このように、投写光学系３００は、透過領域４１０を透過した映像光を投写面２１０に設けられたスクリーン２２０上に投写する。
【００２９】
スクリーン２２０は、映像光が投写される投写面２１０上に設けられる。スクリーン２２０は、反射ミラー３２０で反射された映像光を拡散するか、反射ミラー３２０で反射された映像光を透過するかを切り替え可能に構成されている。言い換えると、スクリーン２２０は、反射ミラー３２０で反射された映像光によって映像を構成するか否かを切り替え可能に構成されている。スクリーン２２０は、例えば、分散型液晶によって構成されたスクリーンである。分散型液晶は、後述するように、分散型液晶に印加される電圧に応じて、反射ミラー３２０で反射された映像光の拡散率を調整する（図３及び図４を参照）。
【００３０】
なお、スクリーン２２０は、透明であることが好ましい。また、スクリーン２２０は、反射型スクリーンであってもよく、透過型スクリーンであってもよい。
【００３１】
（映像光生成部の構成）
以下において、第１実施形態に係る映像光生成部の構成について、図面を参照しながら説明する。図２は、第１実施形態に係る映像光生成部２００を主として示す図である。映像光生成部２００は、図２に示した構成に加えて、電源回路（不図示）、映像信号処理回路（不図示）などを有する。ここでは、表示素子４０が透過型液晶パネルであるケースについて例示する。
【００３２】
映像光生成部２００は、光源１０と、フライアイレンズユニット２０と、ＰＢＳアレイ３０と、複数の液晶パネル４０（液晶パネル４０Ｒ、液晶パネル４０Ｇ、液晶パネル４０Ｂ）と、クロスダイクロイックプリズム５０とを有する。
【００３３】
光源１０は、バーナ及びリフレクタによって構成されるＵＨＰランプなどである。光源１０が発する光は、赤成分光、緑成分光及び青成分光を含む。
【００３４】
フライアイレンズユニット２０は、光源１０が発する光を均一化する。具体的には、フライアイレンズユニット２０は、フライアイレンズ２０ａ及びフライアイレンズ２０ｂによって構成される。
【００３５】
フライアイレンズ２０ａ及びフライアイレンズ２０ｂは、それぞれ、複数の微少レンズによって構成される。各微少レンズは、光源１０が発する光が液晶パネル４０の全面に照射されるように、光源１０が発する光を集光する。
【００３６】
ＰＢＳアレイ３０は、フライアイレンズユニット２０から出射された光の偏光状態を揃える。第１実施形態では、ＰＢＳアレイ３０は、フライアイレンズユニット２０から出射された光をＰ偏光に揃える。
【００３７】
液晶パネル４０Ｒは、赤成分光の偏光方向を回転させることによって赤成分光を変調する。液晶パネル４０Ｒの光入射面側には、一の偏光方向（例えば、Ｐ偏光）を有する光を透過して、他の偏光方向（例えば、Ｓ偏光）を有する光を遮光する入射側偏光板４１Ｒが設けられている。液晶パネル４０Ｒの光出射面側には、一の偏光方向（例えば、Ｐ偏光）を有する光を遮光して、他の偏光方向（例えば、Ｓ偏光）を有する光を透過する出射側偏光板４２Ｒが設けられている。
【００３８】
同様に、液晶パネル４０Ｇ及び液晶パネル４０Ｂは、それぞれ、緑成分光及び青成分光の偏光方向を回転させることによって緑成分光及び青成分光を変調する。液晶パネル４０Ｇの光入射面側には、入射側偏光板４１Ｇが設けられており、液晶パネル４０Ｇの光出射面側には、出射側偏光板４２Ｇが設けられている。液晶パネル４０Ｂの光入射面側には、入射側偏光板４１Ｂが設けられており、液晶パネル４０Ｂの光出射面側には、出射側偏光板４２Ｂが設けられている。
【００３９】
クロスダイクロイックプリズム５０は、液晶パネル４０Ｒ、液晶パネル４０Ｇ及び液晶パネル４０Ｂから出射された光を合成する。クロスダイクロイックプリズム５０は、投写レンズ３１０側に合成光を出射する。
【００４０】
また、映像光生成部２００は、ミラー群（ダイクロイックミラー１１１、ダイクロイックミラー１１２、反射ミラー１２１〜反射ミラー１２３）と、レンズ群（コンデンサレンズ１３１、コンデンサレンズ１４０Ｒ、コンデンサレンズ１４０Ｇ、コンデンサレンズ１４０Ｂ、リレーレンズ１５１〜リレーレンズ１５２）とを有する。
【００４１】
ダイクロイックミラー１１１は、ＰＢＳアレイ３０から出射された光のうち、赤成分光及び緑成分光を透過する。ダイクロイックミラー１１１は、ＰＢＳアレイ３０から出射された光のうち、青成分光を反射する。
【００４２】
ダイクロイックミラー１１２は、ダイクロイックミラー１１１を透過した光のうち、赤成分光を透過する。ダイクロイックミラー１１２は、ダイクロイックミラー１１１を透過した光のうち、緑成分光を反射する。
【００４３】
反射ミラー１２１は、青成分光を反射して青成分光を液晶パネル４０Ｂ側に導く。反射ミラー１２２及び反射ミラー１２３は、赤成分光を反射して赤成分光を液晶パネル４０Ｒ側に導く。
【００４４】
コンデンサレンズ１３１は、光源１０が発する白色光を集光するレンズである。
【００４５】
コンデンサレンズ１４０Ｒは、液晶パネル４０Ｒに赤成分光が照射されるように、赤成分光を略平行光化する。コンデンサレンズ１４０Ｇは、液晶パネル４０Ｇに緑成分光が照射されるように、緑成分光を略平行光化する。コンデンサレンズ１４０Ｂは、液晶パネル４０Ｂに青成分光が照射されるように、青成分光を略平行光化する。
【００４６】
リレーレンズ１５１〜リレーレンズ１５２は、赤成分光の拡大を抑制しながら、液晶パネル４０Ｒ上に赤成分光を略結像する。
【００４７】
（分散型液晶の構成）
以下において、第１実施形態に係るスクリーン２２０を構成する分散型液晶について、図面を参照しながら説明する。図３及び図４は、第１実施形態に係るスクリーン２２０を構成する分散型液晶を示す図である。ここでは、スクリーン２２０が透過型スクリーンであるケースについて例示する。
【００４８】
図３及び図４に示すように、スクリーン２２０を構成する分散型液晶は、透明導電膜２２１（透明導電膜２２１ａ及び透明導電膜２２１ｂ）と、複数の液晶素子２２２ａを有する液晶カプセル２２２と、ポリマー２２３とを有する。
【００４９】
透明導電膜２２１は、導電性を有する透明な膜である。透明導電膜２２１としては、例えば、ＩＴＯを用いることができる。
【００５０】
液晶カプセル２２２は、複数の液晶素子２２２ａによって構成される。液晶素子２２２ａとしては、例えば、ネマチック液晶やコレステリック液晶を用いることができる。液晶カプセル２２２は、ポリマー２２３内に分散している。
【００５１】
ポリマー２２３は、高分子によって構成される。高分子としては、例えば、ポリメチルメタアクリレート（ＰＭＭＡ）を用いることができる。ポリマー２２３は、透明導電膜２２１ａと透明導電膜２２１ｂとの間に充填されている。
【００５２】
ここで、図３に示すように、透明導電膜２２１に電圧が印加されている場合には、液晶カプセル２２２に含まれる液晶素子２２２ａの配向方向は揃っている。従って、スクリーン２２０に照射される光が分散型液晶を透過する。すなわち、スクリーン２２０は、反射ミラー３２０で反射された映像光によって映像を構成しない。
【００５３】
一方で、図４に示すように、透明導電膜２２１に電圧が印加されていない場合には、液晶カプセル２２２に含まれる液晶素子２２２ａの配向方向は無秩序である。従って、スクリーン２２０に照射される光が拡散する。すなわち、スクリーン２２０は、反射ミラー３２０で反射された映像光によって映像を構成する。
【００５４】
なお、透明導電膜２２１に印加される電圧に応じて、分散型液晶が映像光を拡散する割合（透過拡散率）を調整可能であることが好ましい。また、スクリーン２２０が反射型スクリーンであるケースにおいても、透明導電膜２２１に印加される電圧に応じて、分散型液晶が映像光を拡散する割合（反射拡散率）を調整可能であることが好ましい。
【００５５】
ここで、省エネルギーなどの観点から、スクリーン２２０は、電圧が印可されていない場合に、映像光を拡散する状態に構成されることが好ましい。これによって、投写型映像表示装置１００の電源が投入されていない場合に、スクリーン２２０に電圧を印可する必要がなく、スクリーン２２０の背面側に設けられた物などがデフォルトで見えなくなる。
【００５６】
また、省エネルギーなどの観点から、スクリーン２２０が映像光を透過する状態に制御される場合には、投写型映像表示装置１００の電源を切ることが好ましい。スクリーン２２０が映像光を透過する状態に制御される場合には、投写型映像表示装置１００から映像光が必要ないため、投写型映像表示装置１００の電源を切ることによって、省エネルギー化が図られる。
【００５７】
（映像の表示例）
以下において、第１実施形態に係る映像の表示例について、図面を参照しながら説明する。図５〜図８は、第１実施形態に係る映像の表示例を示す図である。以下においては、スクリーン２２０が透明であるケースについて例示する。
【００５８】
最初に、スクリーン２２０が壁面に設けられるケースについて、図５及び図６を参照しながら説明する。図５及び図６では、スクリーン２２０が反射型スクリーンであるケースについて例示する。
【００５９】
図５に示すように、投写型映像表示装置１００は、床に埋め込まれており、スクリーン２２０は、透明な壁面（投写面２１０）に設けられている。一方で、図６に示すように、投写型映像表示装置１００は、天井に埋め込まれており、スクリーン２２０は、透明な壁面（投写面２１０）に設けられている。これらのケースでは、投写型映像表示装置１００は、透明な壁面（投写面２１０）に設けられたスクリーン２２０上に映像光を投写する。
【００６０】
上述したように、スクリーン２２０に電圧が印加されていない場合には、投写型映像表示装置１００から出射される映像光によってスクリーン２２０上に映像が構成される。従って、ユーザは、スクリーン２２０上に構成される映像を見ることができる。
【００６１】
一方で、スクリーン２２０に電圧が印加されている場合には、投写型映像表示装置１００から出射される映像光によってスクリーン２２０上に映像が構成されない。ここで、スクリーン２２０に電圧が印加されている場合には、投写型映像表示装置１００は、黒表示を行うことが好ましい。すなわち、投写型映像表示装置１００から映像光が出射されない。上述したように、スクリーン２２０が透明であるため、ユーザは、ユーザにとってスクリーン２２０の反対側の光景を見ることができる。
【００６２】
なお、“黒表示”では、例えば、表示素子４０の光入射側又は光出射側に設けられた偏光板が光源１０から出射された光を遮光する。すなわち、光源１０が非点灯状態に遷移する必要がないことに留意すべきである。なお、“黒表示”では、光源１０が非点灯状態に遷移してもよい。
【００６３】
図５及び図６に示すケースとしては、ショーウィンドウにスクリーン２２０を設けることが考えられる。これによって、ユーザに見せる対象として、ショウウィンドウの中身と映像とを切り替えることができる。また、窓にスクリーン２２０を設けることが考えられる。これによって、ユーザに見せる対象として、窓の外の光景と映像とを切り替えることができる。
【００６４】
次に、スクリーン２２０が床面に設けられるケースについて、図７及び図８を参照しながら説明する。図７では、スクリーン２２０が反射型スクリーンであるケースについて例示する。図８では、スクリーン２２０が透過型スクリーンであるケースについて例示する。
【００６５】
図７に示すように、投写型映像表示装置１００は、壁に埋め込まれており、スクリーン２２０は、床面（投写面２１０）に設けられている。一方で、図８に示すように、投写型映像表示装置１００は、床下に埋め込まれており、スクリーン２２０は、床面（投写面２１０）に設けられている。これらのケースでは、投写型映像表示装置１００は、床面（投写面２１０）に設けられたスクリーン２２０上に映像光を投写する。
【００６６】
上述したように、スクリーン２２０に電圧が印加されていない場合には、投写型映像表示装置１００から出射される映像光によってスクリーン２２０上に映像が構成される。従って、ユーザは、スクリーン２２０上に構成される映像を見ることができる。
【００６７】
一方で、スクリーン２２０に電圧が印加されている場合には、投写型映像表示装置１００から出射される映像光によってスクリーン２２０上に映像が構成されない。ここで、スクリーン２２０に電圧が印加されている場合には、投写型映像表示装置１００は、黒表示を行うことが好ましい。すなわち、投写型映像表示装置１００から映像光が出射されない。上述したように、スクリーン２２０が透明であるため、ユーザは、ユーザにとってスクリーン２２０の反対側の光景を見ることができる。
【００６８】
図７及び図８に示すケースとしては、装飾物や鑑賞物などを床下に設けることが考えられる。これによって、ユーザに見せる対象として、床下に設けられた装飾物や鑑賞物などと映像とを切り替えることができる。ここで、スクリーン２２０が床面に設けられているため、スクリーン２２０上に強化ガラスを設けることが好ましい。すなわち、強化ガラスによってスクリーン２２０を保護することが好ましい。
【００６９】
なお、図８に示すケースにおいて、スクリーン２２０に電圧が印加されている場合であっても、投写型映像表示装置１００が斜め投写を行うため、投写型映像表示装置１００がユーザの視界に入りにくいことに留意すべきである。
【００７０】
（作用及び効果）
第１実施形態では、防護カバー４００は、反射ミラー３２０で反射された映像光の光路上に設けられている。従って、ユーザが反射ミラー３２０に接触して反射ミラー３２０の角度などが変わることを抑制することができる。また、防護カバー４００は、反射ミラー３２０で反射された映像光を透過する透過領域４１０を有する。従って、投写面２１０に設けられたスクリーン２２０上に照射される映像光が防護カバー４００によって妨げられることがない。このように、投写型映像表示装置１００とスクリーン２２０との距離の短縮を図るために設けられた反射ミラー３２０の配置精度を良好に保つことができる。
【００７１】
第１実施形態では、スクリーン２２０は、反射ミラー３２０で反射された映像光によって映像を構成するか否かを切り替え可能に構成されている。従って、映像の表示／非表示を容易に切り替えることができる。
【００７２】
また、反射ミラー３２０で反射された映像光がスクリーン２２０に照射されない場合に、スクリーン２２０が透明である場合には、ユーザに見せる対象として、ユーザにとってスクリーン２２０の反対側の光景と映像とを切り替えることができる。
【００７３】
［第２実施形態］
以下において、第２実施形態について図面を参照しながら説明する。以下においては、第１実施形態と第２実施形態との相違点について主として説明する。
【００７４】
第１実施形態では、スクリーン２２０が分散型液晶によって構成される。これに対して、第２実施形態では、スクリーン２２０は、映像構成領域と非映像構成領域とを有しており、投写面２１０上をスライド可能に構成されている。
【００７５】
（スクリーンの構成）
以下において、第２実施形態に係るスクリーンの構成について、図面を参照しながら説明する。図９は、第２実施形態に係るスクリーン２２０を示す図である。図９に示すように、スクリーン２２０は、映像構成領域２２０ａと非映像構成領域２２０ｂとを有する。
【００７６】
映像構成領域２２０ａは、反射ミラー３２０で反射された映像光によって映像を構成する領域である。映像構成領域２２０ａは、反射型スクリーンや透過型スクリーンと同様の構成を有する。
【００７７】
非映像構成領域２２０ｂは、反射ミラー３２０で反射された映像光によって映像を構成しない領域である。非映像構成領域２２０ｂは、スクリーン２２０のスライド方向において映像構成領域２２０ａに隣接している。非映像構成領域２２０ｂは、光透過性部材によって構成される。
【００７８】
なお、非映像構成領域２２０ｂは、映像構成領域２２０ａと略同様の形状及び大きさを有することが好ましい。
【００７９】
（スクリーンのスライド）
以下において、第２実施形態に係るスクリーンのスライドについて、図面を参照しながら説明する。図１０及び図１１は、第２実施形態に係るスクリーン２２０のスライドを示す図である。
【００８０】
図１０及び図１１に示すように、スクリーン２２０は、巻取り機構２３０（巻取り機構２３０ａ及び巻取り機構２３０ｂ）に取付けられる。
【００８１】
巻取り機構２３０ａ及び巻取り機構２３０ｂは、スクリーン２２０を巻き取る機構を有する。同様に、巻取り機構２３０ａ及び巻取り機構２３０ｂは、スクリーン２２０を送り出す機構を有する。例えば、巻取り機構２３０ａ及び巻取り機構２３０ｂは、それぞれ、回転軸２３１ａ及び回転軸２３１ｂを中心に回動可能に構成されている。
【００８２】
図１０に示すように、投写面２１０として映像構成領域２２０ａを用いる場合には、非映像構成領域２２０ｂは、巻取り機構２３０ｂ側に巻き取られる。一方で、図１１に示すように、投写面２１０として非映像構成領域２２０ｂを用いる場合には、映像構成領域２２０ａは、巻取り機構２３０ａ側に巻き取られる。
【００８３】
このように、スクリーン２２０は、巻取り機構２３０によって投写面２１０上をスライド可能に構成されている。
【００８４】
なお、スクリーン２２０のスライド方法は、スクリーン２２０の巻取りに限定されるものではないことは勿論である。
【００８５】
（作用及び効果）
第２実施形態では、スクリーン２２０は、投写面２１０上をスライド可能に構成されている。従って、分散型液晶によって構成されるスクリーンを用いなくても、投写型映像表示装置１００から出射された映像光によって映像を構成するか否かを切り替える構成を簡易かつ低コストで実現することができる。
【００８６】
［第３実施形態］
以下において、第３実施形態について、図面を参照しながら説明する。第３実施形態では、上述した投写型映像表示装置１００の適用例について説明する。
【００８７】
最初に、スクリーン２２０が店舗の窓ガラスに設けられているケースについて、図１２を参照しながら説明する。図１２（ａ）は、昼間の店舗を示す図であり、図１２（ｂ）は、夜間の店舗を示す図である。
【００８８】
図１２（ａ）に示すように、昼間において、スクリーン２２０上に映像を構成せずに、店舗内の様子が店舗外から見えるようにする。又は、調理実演などのパフォーマンスが行われている場合に、スクリーン２２０上に映像を構成せずに、店舗外からパフォーマンスが見えるようにする。
【００８９】
一方で、図１２（ｂ）に示すように、夜間において、スクリーン２２０上に映像（例えば、広告映像）を構成して、スクリーン２２０上に表示された映像が店舗外から見えるようにする。又は、閉店後において、スクリーン２２０上に映像（例えば、広告映像）を構成して、スクリーン２２０上に表示された映像が店舗外から見えるようにする。
【００９０】
続いて、スクリーン２２０が店舗のショーウィンドウに設けられているケースについて、図１３を参照しながら説明する。図１３（ａ）及び図１３（ｃ）は、ショーウィンドウ内に商品が陳列された状態を示す図であり、図１３（ｂ）は、ショーウィンドウ内において商品のレイアウト変更が行われている状態を示す図である。
【００９１】
図１３（ａ）及び図１３（ｃ）に示すように、ショーウィンドウ内に商品が陳列されている状態、すなわち、商品のレイアウト変更が行われていない状態では、スクリーン２２０上に映像を構成せずに、ショーウィンドウ内に陳列された商品が店舗外から見えるようにする。
【００９２】
一方で、図１３（ｂ）に示すように、ショーウィンドウ内において商品のレイアウト変更が行われている状態では、スクリーン２２０上に映像（例えば、広告映像）を構成して、スクリーン２２０上に表示された映像が店舗外から見えるようにする。
【００９３】
［第４実施形態］
以下において、第４実施形態について、図面を参照しながら説明する。以下においては、第１実施形態との相違点について主として説明する。
【００９４】
具体的には、第４実施形態では、スクリーンは、第１スクリーン及び第２スクリーンを含み、第１スクリーン及び第２スクリーンのそれぞれは、映像光を拡散するか、又は、映像光を透過するかを切り替え可能に構成されている。
【００９５】
（スクリーンの構成）
以下において、第４実施形態に係るスクリーンの構成について、図面を参照しながら説明する。図１４〜図１６は、第４実施形態に係るスクリーン５００を示す図である。
【００９６】
図１４〜図１６に示すように、スクリーン５００は、第１スクリーン５１０及び第２スクリーン５２０を含む。第１スクリーン５１０及び第２スクリーン５２０は重なって配置される。
【００９７】
第１スクリーン５１０及び第２スクリーン５２０のそれぞれは、スクリーン２２０と同様の構成を有する。例えば、第１スクリーン５１０及び第２スクリーン５２０のそれぞれは、分散型液晶などによって構成される。
【００９８】
具体的には、第１スクリーン５１０及び第２スクリーン５２０のそれぞれは、反射ミラー３２０で反射された映像光を拡散するか、又は、反射ミラー３２０で反射された映像光を透過するかを切り替え可能に構成されている。
【００９９】
図１４に示すように、第１スクリーン５１０及び第２スクリーン５２０の双方に電圧が印可される場合には、第１スクリーン５１０及び第２スクリーン５２０は、反射ミラー３２０で反射された映像光を透過する。従って、第１スクリーン５１０及び第２スクリーン５２０は透明であり、スクリーン５００上に映像が構成されない。
【０１００】
図１５に示すように、第１スクリーン５１０及び第２スクリーン５２０のいずれにも電圧が印可されない場合には、第１スクリーン５１０及び第２スクリーン５２０は、反射ミラー３２０で反射された映像光を拡散する。すなわち、反射ミラー３２０で反射された映像光は、２回拡散される。なお、スクリーン５００上には映像が構成される。
【０１０１】
図１６に示すように、第１スクリーン５１０及び第２スクリーン５２０の一方（ここでは、第１スクリーン５１０）のみに電圧が印可される場合には、第１スクリーン５１０及び第２スクリーン５２０の一方（ここでは、第１スクリーン５１０）は、反射ミラー３２０で反射された映像光を透過し、第１スクリーン５１０及び第２スクリーン５２０の他方（ここでは、第２スクリーン５２０）は、反射ミラー３２０で反射された映像光を拡散する。すなわち、反射ミラー３２０で反射された映像光は、１回拡散される。なお、スクリーン５００上には映像が構成される。
【０１０２】
ここで、図１７に示すように、第１スクリーン５１０及び第２スクリーン５２０のいずれにも電圧が印可されない場合には、投写型映像表示装置１００から出射された映像光の拡散回数が２回であるため、映像光の指向性が低い。従って、スクリーン５００上に投写される映像の輝度が低いが、スクリーン５００上に投写される映像の視野角が広い。
【０１０３】
一方で、図１８に示すように、第１スクリーン５１０及び第２スクリーン５２０の一方のみに電圧が印可される場合には、投写型映像表示装置１００から出射された映像光の拡散回数が１回であるため、映像光の指向性が高い。従って、スクリーン５００上に投写される映像の視野角が狭いが、スクリーン５００上に投写される映像の輝度が高い。
【０１０４】
このように、第１スクリーン５１０及び第２スクリーン５２０に印可する電圧を制御することによって、視野角優先（図１７を参照）と輝度優先（図１８を参照）とを切り替えることができる。
【０１０５】
（映像の表示例）
以下において、第４実施形態に係る映像の表示例について、図面を参照しながら説明する。図１９〜図２４は、第４実施形態に係る映像の表示例を示す図である。
【０１０６】
第１に、投写型映像表示装置１００が床下に埋め込まれており、スクリーン５００が床面に設けられているケースについて、図１９〜図２１を参照しながら説明する。
【０１０７】
図１９に示すように、スクリーン５００の遠くにユーザが位置する場合には、第１スクリーン５１０及び第２スクリーン５２０の一方のみに電圧が印可される。従って、映像光の指向性が高く、スクリーン５００の遠くに位置するユーザに映像を見せることができる。なお、スクリーン５００の遠くにユーザが位置するが、スクリーン５００上に投写される映像の輝度が高いため、ユーザに映像を見せることができる。
【０１０８】
図２０に示すように、スクリーン５００の近くにユーザが位置する場合には、第１スクリーン５１０及び第２スクリーン５２０のいずれにも電圧が印可されない。従って、映像光の指向性が低いため、スクリーン５００の近くに位置するユーザに映像を見せることができる。なお、スクリーン５００上に投写される映像の輝度が低いが、スクリーン５００の近くにユーザが位置するため、ユーザに映像を見せることができる。
【０１０９】
図２１に示すように、スクリーン５００上にユーザが位置する場合には、第１スクリーン５１０及び第２スクリーン５２０の双方に電圧が印可される。従って、スクリーン５００が急に透明になり、ユーザを驚かせる演出を行うことができる。また、スクリーン５００の下に配置された物をユーザに見せることができる。
【０１１０】
第２に、投写型映像表示装置１００が壁に埋め込まれており、スクリーン５００が壁面に設けられているケースについて、図２２〜図２４を参照しながら説明する。
【０１１１】
図２２に示すように、壁面に設けられたスクリーン５００を挟んで２つの投写型映像表示装置１００（投写型映像表示装置１００Ａ及び投写型映像表示装置１００Ｂ）が壁に埋め込まれている。ここでは、投写型映像表示装置１００Ａ及び投写型映像表示装置１００Ｂは、同様の映像をスクリーン５００上に表示する。
【０１１２】
図２３に示すように、スクリーン５００の近くにユーザが位置していない場合には、第１スクリーン５１０及び第２スクリーン５２０の一方のみに電圧が印可される。なお、図２３は、投写型映像表示装置１００及びスクリーン５００を上方から見た図である。ここで、投写型映像表示装置１００Ａから出射される映像光の指向性が高いため、Ａ側に位置するユーザに映像を見せることができる。同様に、投写型映像表示装置１００Ｂから出射される映像光の指向性が高いため、Ｂ側に位置するユーザに映像を見せることができる。
【０１１３】
図２４に示すように、スクリーン５００の近くにユーザが位置している場合には、第１スクリーン５１０及び第２スクリーン５２０のいずれにも電圧が印可されない。なお、図２４は、投写型映像表示装置１００及びスクリーン５００を上方から見た図である。ここで、投写型映像表示装置１００Ａ及び投写型映像表示装置１００Ｂから出射される映像光の指向性が低いため、スクリーン５００の近くに位置するユーザに映像を見せることができる。
【０１１４】
なお、第４実施形態では特に触れていないが、ユーザの位置は、壁面や床面に設けられたセンサやカメラによって検出されてもよい。
【０１１５】
（作用及び効果）
第４実施形態では、スクリーン５００は、第１スクリーン５１０及び第２スクリーン５２０を含む。第１スクリーン５１０及び第２スクリーン５２０のそれぞれは、反射ミラー３２０で反射された映像光を透過し、又は、反射ミラー３２０で反射された映像光を拡散する。
【０１１６】
従って、投写型映像表示装置１００から出射される映像光の指向性を制御することができる。また、ユーザの位置に応じて、スクリーン５００上に表示される映像を適切にユーザに見せることができる。
【０１１７】
［第５実施形態］
以下において、第５実施形態について、図面を参照しながら説明する。以下においては、第４実施形態との相違点について主として説明する。
【０１１８】
具体的には、第５実施形態では、スクリーンは、ガラス板によって挟まれた複数の分散型液晶フィルムを有する。ガラス板及び分散型液晶フィルムは、粘着剤によって貼り合わされる。
【０１１９】
（スクリーンの構成）
以下において、第５実施形態に係るスクリーンの構成について、図面を参照しながら説明する。図２５は、第５実施形態に係るスクリーン６００を示す図である。
【０１２０】
図２５に示すように、スクリーン６００は、分散型液晶フィルム６１０と、分散型液晶フィルム６２０と、ガラス板６３０と、ガラス板６４０とを有する。分散型液晶フィルム６１０及びガラス板６３０は、粘着財６５１によって貼り合わされる。分散型液晶フィルム６１０及び分散型液晶フィルム６２０は、粘着剤６５２によって貼り合わされる。分散型液晶フィルム６２０及びガラス板６４０は、粘着剤６５３によって貼り合わされる。
【０１２１】
分散型液晶フィルム６１０及び分散型液晶フィルム６２０のそれぞれは、反射ミラー３２０で反射された映像光を透過し、又は、反射ミラー３２０で反射された映像光を拡散する。分散型液晶フィルム６１０と分散型液晶フィルム６２０との間隔、すなわち、粘着剤６５２の厚みは、スクリーン６００上におけ画素間隔よりも小さいことが好ましい。例えば、スクリーン６００のサイズが１００インチであり、スクリーン６００上におけ画素間隔が５００μｍ程度である場合に、分散型液晶フィルム６１０と分散型液晶フィルム６２０との間隔は、２０μｍである。
【０１２２】
なお、分散型液晶フィルム６１０及び分散型液晶フィルム６２０は、第１スクリーン５１０及び第２スクリーン５２０と同様の構成を有するため、分散型液晶フィルム６１０及び分散型液晶フィルム６２０の詳細については省略する。
【０１２３】
［第６実施形態］
以下において、第６実施形態について、図面を参照しながら説明する。以下においては、第１実施形態との相違点について主として説明する。
【０１２４】
具体的には、第６実施形態では、スクリーンは、複数の領域によって構成される。また、スクリーンは、映像光を拡散するか、又は、映像光を透過するかを複数の領域毎に切り替え可能に構成されている。
【０１２５】
（スクリーンの構成）
以下において、第６実施形態に係るスクリーンの構成について、図面を参照しながら説明する。図２６は、第６実施形態に係るスクリーン７００を示す図である。
【０１２６】
図２６に示すように、スクリーン７００は、複数の領域７１０によって構成される。各領域７１０には、電極７２０が接続されている。なお、スクリーン７００は、例えば、分散型液晶によって構成される。スクリーン７００は、各電極７２０を介して印可される電圧に応じて、映像光を拡散するか、又は、映像光を透過するかを領域７１０毎に切り替えるように構成される。
【０１２７】
（映像の表示例）
以下において、第６実施形態に係る映像の表示例について、図面を参照しながら説明する。図２７〜図３１は、第６実施形態に係る映像の表示例を示す図である。
【０１２８】
第１に、スクリーン７００の利用法について、図２７を参照しながら説明する。なお、図２７では、領域７１０Ａには、電極７２０Ａを介して電圧が印可されており、領域７１０Ｂには、電極７２０Ｂを介して電圧が印可されていない。すなわち、領域７１０Ａは透明であり、領域７１０Ｂには映像が表示される。
【０１２９】
図２７に示すように、スクリーン７００の前面側に位置するユーザからは、領域７１０Ａの背面側に設けられた物が領域７１０Ａを介して見える。一方で、スクリーン７００の前面側に位置するユーザからは、領域７１０Ｂ上に表示された映像が見える。
【０１３０】
第２に、投写型映像表示装置１００が天井に設けられており、スクリーン７００が壁面８１０と略平行に配置されるケースについて、図２８〜図３０を参照しながら説明する。なお、壁面８１０とスクリーン７００との間には、物を載置するための棚（棚８２１及び棚８２２）が設けられている。なお、スクリーン７００は、ユーザ側に設けられた前面７０１と、壁面８１０側に設けられた背面７０２とを有する。
【０１３１】
図２８に示すように、投写型映像表示装置１００がスクリーン７００よりもユーザ側に設けられている場合には、投写型映像表示装置１００から出射された映像光は、スクリーン７００の前面７０１に投写される。このような場合には、投写型映像表示装置１００から出射された映像光は、棚８２１や棚８２１に載置された物によって遮られない。従って、棚８２１の奥行きを小さくすることができる。
【０１３２】
図２９及び図３０に示すように、投写型映像表示装置１００がスクリーン７００よりも壁面８１０側に設けられている場合には、投写型映像表示装置１００から出射された映像光は、スクリーン７００の背面７０２に投写される。このような場合には、投写型映像表示装置１００から出射された映像光は、棚８２１や棚８２１に載置された物によって遮られる可能性がある。
【０１３３】
従って、図２９に示すように、棚８２１によって映像光が遮られないように、スクリーン７００から棚８２１を壁面８１０側に離して配置することが好ましい。又は、図３０に示すように、棚８２１を透明部材によって形成することが好ましい。なお、図２９及び図３０に示すように、棚８２１に載置された物によって映像光が遮られないように、棚８２１に載置された物をスクリーン７００から壁面８１０側に離して配置することが好ましい。
【０１３４】
第３に、投写型映像表示装置１００が床下に埋め込まれており、スクリーン７００が床面に設けられるケースについて、図３１を参照しながら説明する。
【０１３５】
図３１にしめすように、ユーザが位置する領域７１０に映像を表示して、ユーザが位置する領域７１０の周囲に設けられた領域７１０を透明にすることによって、ユーザが宙に浮いている感覚を覚えるようなアプリケーション（例えば、アミューズメント）などに投写型映像表示装置１００を適用することができる。
【０１３６】
（位置合わせ処理）
以下において、第６実施形態に係る位置合わせ処理について説明する。具体的には、投写型映像表示装置１００によって表示される映像とスクリーン７００上に設けられた領域７１０との位置合わせについて説明する。
【０１３７】
（１）投写型映像表示装置１００は、例えば、白映像を表示する。
【０１３８】
（２）投写型映像表示装置１００によって表示される白映像の輪郭とスクリーン７００の輪郭との位置合わせが手動で行われる。
【０１３９】
（３）スクリーン７００に設けられた複数の領域７１０のうち、いずれか１つの領域７１０が拡散状態に制御され、残りの領域７１０が透明状態に制御される。
【０１４０】
（４）投写型映像表示装置１００に設けられた撮像装置によって、拡散状態の領域７１０が撮像される。
【０１４１】
（５）撮像装置によって撮像された画像によって、拡散状態の領域７１０の位置（座標）が特定される。
【０１４２】
（６）スクリーン７００に設けられた全領域７１０について、（３）〜（５）の処理を行うことによって、全領域７１０の位置（座標）が特定される。
【０１４３】
このように、全領域７１０の位置（座標）が投写型映像表示装置１００によって特定されるため、投写型映像表示装置１００は、映像を表示すべき領域７１０（領域７１０Ｂ）上に、領域７１０（領域７１０Ｂ）に投写すべき映像光を投写することができる。すなわち、投写型映像表示装置１００は、領域７１０（領域７１０Ｂ）上に適切な映像を表示することができる。
【０１４４】
（作用及び効果）
第６実施形態では、スクリーン７００は、複数の領域７１０によって構成される。スクリーン７００は、映像光を拡散するか、又は、映像光を透過するかを領域７１０毎に切り替えるように構成される。従って、領域７１０の背面側に設けられた物を見せるための領域７１０Ａ（透明状態）及び領域７１０上に表示された映像を見せるための領域７１０Ｂ（拡散状態）を使い分けることができる。これによって、投写型映像表示装置１００の利用用途が広がる。
【０１４５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１４６】
上述した実施形態では特に触れていないが、防護カバー４００は、反射ミラー３２０から投写面２１０側に連通する開口を有していてもよい。透過領域４１０は、このような開口であってもよい。
【０１４７】
上述した実施形態では特に触れていないが、防護カバー４００の少なくとも一部は、透明樹脂やガラスなどの光透過性部材によって構成されていてもよい。透過領域４１０は、このような光透過性部材によって構成されていてもよい。
【０１４８】
上述した実施形態では特に触れていないが、反射ミラー３２０は、反射ミラー３２０と投写面２１０との間において、映像光生成部２００から出射された映像光を集光する。透過領域４１０は、反射ミラー３２０によって映像光が集光される位置近傍に設けられることが好ましい。
【０１４９】
上述した実施形態では、反射ミラー３２０として非球面ミラーを用いるケースについて例示したが、反射ミラー３２０はこれに限定されるものではない。例えば、反射ミラー３２０として自由曲面ミラーを用いてもよい。収差や解像度について工夫をすれば、反射ミラー３２０として球面ミラーを用いてもよい。
【０１５０】
上述した実施形態では、映像光生成部２００の構成として複数の表示素子４０を用いるケース（３板式）について例示したが、映像光生成部２００の構成はこれに限定される物ではない。映像光生成部２００の構成として単数の表示素子４０を用いてもよい（単板式）。
【０１５１】
各実施形態によれば、上述したように、反射ミラー３２０を設けることによって、投写型映像表示装置と投写面との距離が短縮される。従って、投写型映像表示装置と投写面との間に人などが入り込んで、映像光が遮られることを抑制することができる。また、光源１０としてＬＤを用いた場合に、レーザ光（映像光）が人に照射される可能性を低減することができる。
【０１５２】
第５実施形態では、第１スクリーン５１０及び第２スクリーン５２０のそれぞれは、印可電圧に応じて、映像光を透過し、又は、映像光を拡散するように構成されている。しかしながら、実施形態は、これに限定されるものではない。例えば、以下に示すようなケースが考えられる。
【０１５３】
（１）透明状態が必要ではないケースでは、第１スクリーン５１０及び第２スクリーン５２０のいずれか一方は、印可電圧によらずに映像光を拡散するように構成された拡散フィルムであってもよい。このようなケースでは、指向性が高い状態と指向性が低い状態との間で、スクリーン５００の状態が切り替えられる。
【０１５４】
（２）指向性が高い状態が必要ではないケースでは、所望の拡散度が得られない場合に、２枚のスクリーン（第１スクリーン５１０及び第２スクリーン５２０）が用いられてもよい。このようなケースでは、透明状態と指向性が低い状態との間で、スクリーン５００の状態が切り替えられる。
【産業上の利用可能性】
【０１５５】
本発明によれば、投写型映像表示装置と投写面との距離の短縮を図った投写型映像表示装置を用いて、容易に映像の表示／非表示を切り替えることを可能とする投写型映像表示装置を提供することができる。投写型映像表示装置は、サイネージ、アミューズメント、飲食店、高層ビルなどに用いることができる。例えば、飲食店の机にスクリーンを配置することによって、スクリーン上にメニューを表示することができる。高層ビルの高層階の床面にスクリーンを配置することによって、映像の表示（拡散状態）／映像の非表示（透明状態）の切り替えを行って、ユーザを驚かせる演出を行うことができる。
【符号の説明】
【０１５６】
１０・・・光源、２０・・・フライアイレンズユニット、３０・・・ＰＢＳアレイ、４０・・・表示素子、４１・・・入射側偏光板、４２・・・出射側偏光板、５０・・・クロスダイクロイックプリズム、６０・・・偏光調整素子、１００・・・投写型映像表示装置、１１１・・・ダイクロイックミラー、１１２・・・ダイクロイックミラー、１２１〜１２３・・・反射ミラー、１３１・・・コンデンサレンズ、１４０・・・コンデンサレンズ、１５１〜１５２・・・リレーレンズ、２００・・・映像光生成部、２１０・・・投写面、２２０・・・スクリーン、２２０ａ・・・映像構成領域、２２０ｂ・・・非映像構成領域、２２１・・・透明導電膜、２２２・・・液晶カプセル、２２３・・・ポリマー、２３０・・・巻取り機構、２３１・・・回転軸、３００・・・投写光学系、３１０・・・投写レンズ、３２０・・・反射ミラー、４００・・・防護カバー、４１０・・・透過領域、５００・・・スクリーン、５１０・・・第１スクリーン、５２０・・・第２スクリーン、６００・・・スクリーン、６１０，６２０・・・分散型液晶フィルム、６３０，６４０・・・ガラス板、６５１〜６５３・・・粘着剤、７００・・・スクリーン、７０１・・・前面、７０２・・・背面、７１０・・・領域、７２０・・・電極
【図１】
2009258701.tif 000003
【図２】
2009258701.tif 000004
【図３】
2009258701.tif 000005
【図４】
2009258701.tif 000006
【図５】
2009258701.tif 000007
【図６】
2009258701.tif 000008
【図７】
2009258701.tif 000009
【図８】
2009258701.tif 000010
【図９】
2009258701.tif 000011
【図１０】
2009258701.tif 000012
【図１１】
2009258701.tif 000013
【図１２】
2009258701.tif 000014
【図１３】
2009258701.tif 000015
【図１４】
2009258701.tif 000016
【図１５】
2009258701.tif 000017
【図１６】
2009258701.tif 000018
【図１７】
2009258701.tif 000019
【図１８】
2009258701.tif 000020
【図１９】
2009258701.tif 000021
【図２０】
2009258701.tif 000022
【図２１】
2009258701.tif 000023
【図２２】
2009258701.tif 000024
【図２３】
2009258701.tif 000025
【図２４】
2009258701.tif 000026
【図２５】
2009258701.tif 000027
【図２６】
2009258701.tif 000028
【図２７】
2009258701.tif 000029
【図２８】
2009258701.tif 000030
【図２９】
2009258701.tif 000031
【図３０】
2009258701.tif 000032
【図３１】
2009258701.tif 000033